(57)【要約】【課題】移動局装置が後方互換性のないキャリアを集約して基地局装置と通信を行う場合において、無線リソース管理を効率的に行なう通信システム、基地局装置、移動局装置、通信方法および集積回路を提供する。【解決手段】移動局装置と基地局装置が、セルの周波数帯域と、前記セルの周波数帯域を拡張する拡張周波数帯域とを集約して通信を行う通信システムであって、基地局装置は、前記セルを示す第１の識別子と、前記拡張周波数帯域を示す第２の識別子と、前記第１の識別子と前記第２の識別子との対応関係を示すリンク情報とを設定して前記移動局装置に送信し、移動局装置は、前記リンク情報に基づいて前記第１の識別子と前記第２の識別子とをリンクし、前記第１の識別子を用いて前記第２の識別子で示される前記拡張周波数帯域を管理する。【選択図】図７
2012209650.tif 000002
【特許請求の範囲】
【請求項１】
移動局装置と基地局装置が、セルの周波数帯域と、前記セルの周波数帯域を拡張する拡張周波数帯域とを集約して通信を行う通信システムであって、
前記基地局装置は、前記セルを示す第１の識別子と、前記拡張周波数帯域を示す第２の識別子と、前記第１の識別子と前記第２の識別子との対応関係を示すリンク情報とを設定して前記移動局装置に送信し、
前記移動局装置は、前記リンク情報に基づいて前記第１の識別子と前記第２の識別子とをリンクし、前記第１の識別子を用いて前記第２の識別子で示される前記拡張周波数帯域を管理することを特徴とする通信システム。
【請求項２】
前記移動局装置は、非活性化または削除が前記第１の識別子を用いて指示された場合、前記第１の識別子で示される前記セルおよび前記第１の識別子にリンクしている前記第２の識別子で示される前記拡張周波数帯域を非活性化または削除し、非活性化または削除が前記第２の識別子を用いて指示された場合、前記第２の識別子で示される前記拡張周波数帯域を非活性化または削除することを特徴とする請求項１記載の通信システム。
【請求項３】
前記移動局装置は、前記第２の識別子で示される前記拡張周波数帯域に対する無線リソース割り当て情報を前記第１の識別子で示される前記セルから受信することを特徴とする請求項１記載の通信システム。
【請求項４】
移動局装置と基地局装置が、セルの周波数帯域と、前記セルの周波数帯域を拡張する拡張周波数帯域とを集約して通信を行う通信システムにおける基地局装置であって、
前記セルを示す第１の識別子と、前記拡張周波数帯域を示す第２の識別子と、前記第１の識別子と前記第２の識別子との対応関係を示すリンク情報とを設定して前記移動局装置に送信し、
前記移動局装置に対して、前記拡張周波数帯域に対する指示と、前記第１の識別子または前記第２の識別子とを用いることによって、前記拡張周波数帯域または前記セルおよび前記拡張周波数帯域を管理することを特徴とする基地局装置。
【請求項５】
前記第１の識別子で示される前記セルおよび前記第１の識別子にリンクしている前記第２の識別子で示される前記拡張周波数帯域を非活性化または削除する場合、非活性化または削除を前記第１の識別子を用いて前記移動局装置に指示し、前記第２の識別子で示される前記拡張周波数帯域を非活性化または削除する場合、非活性化または削除を前記第２の識別子を用いて前記移動局装置に指示することを特徴とする請求項４記載の基地局装置。
【請求項６】
前記第２の識別子で示される前記拡張周波数帯域に対する無線リソース割り当て情報を前記第１の識別子で示される前記セルで送信することを特徴とする請求項４記載の基地局装置。
【請求項７】
移動局装置と基地局装置が、セルの周波数帯域と、前記セルの周波数帯域を拡張する拡張周波数帯域とを集約して通信を行う通信システムにおける移動局装置であって、
前記基地局装置から、前記セルを示す第１の識別子と、前記拡張周波数帯域を示す第２の識別子と、前記第１の識別子と前記第２の識別子との対応関係を示すリンク情報とを受信し、
前記リンク情報に基づいて前記第１の識別子と前記第２の識別子とをリンクし、前記第１の識別子を用いて前記第２の識別子で示される前記拡張周波数帯域を管理することを特徴とする移動局装置。
【請求項８】
非活性化または削除が前記第１の識別子を用いて指示された場合、前記第１の識別子で示される前記セルおよび前記第１の識別子にリンクしている前記第２の識別子で示される前記拡張周波数帯域を非活性化または削除し、非活性化または削除が前記第２の識別子を用いて指示された場合、前記第２の識別子で示される前記拡張周波数帯域を非活性化または削除することを特徴とする請求項７記載の移動局装置。
【請求項９】
前記第２の識別子で示される前記拡張周波数帯域に対する無線リソース割り当て情報を前記第１の識別子で示される前記セルから受信することを特徴とする請求項７記載の移動局装置。
【請求項１０】
移動局装置と基地局装置が、セルの周波数帯域と、前記セルの周波数帯域を拡張する拡張周波数帯域とを集約して通信を行う通信方法であって、
前記基地局装置は、前記セルを示す第１の識別子と、前記拡張周波数帯域を示す第２の識別子と、前記第１の識別子と前記第２の識別子との対応関係を示すリンク情報とを設定するステップと、前記リンク情報を前記移動局装置に送信するステップとを備え、
前記移動局装置は、前記リンク情報に基づいて前記第１の識別子と前記第２の識別子とをリンクするステップと、前記第１の識別子を用いて前記第２の識別子で示される前記拡張周波数帯域を管理するステップを備えることを特徴とする通信方法。
【請求項１１】
前記移動局装置は、非活性化または削除が前記第１の識別子を用いて指示された場合、前記第１の識別子で示される前記セルおよび前記第１の識別子にリンクしている前記第２の識別子で示される前記拡張周波数帯域を非活性化または削除し、非活性化または削除が前記第２の識別子を用いて指示された場合、前記第２の識別子で示される前記拡張周波数帯域を非活性化または削除することを特徴とする請求項１０記載の通信方法。
【請求項１２】
前記移動局装置は、前記第２の識別子で示される前記拡張周波数帯域に対する無線リソース割り当て情報を前記第１の識別子で示される前記セルから受信することを特徴とする請求項１０記載の通信方法。
【請求項１３】
移動局装置と基地局装置が、セルの周波数帯域と、前記セルの周波数帯域を拡張する拡張周波数帯域とを集約して通信を行う通信システムにおける移動局装置の集積回路であって、
前記基地局装置から、前記セルを示す第１の識別子と、前記拡張周波数帯域を示す第２の識別子と、前記第１の識別子と前記第２の識別子との対応関係を示すリンク情報とを受信し、
前記リンク情報に基づいて前記第１の識別子と前記第２の識別子とをリンクし、前記第１の識別子を用いて前記第２の識別子で示される前記拡張周波数帯域を管理する機能を備えたことを特徴とする集積回路。
【発明の詳細な説明】
【技術分野】
【０００１】
本発明は、無線リソース管理を効率的に行なう通信システム、基地局装置、移動局装置、通信方法および集積回路に関する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）の標準化が行なわれた。
【０００３】
また、３ＧＰＰでは、より高速なデータ伝送を実現し、ＥＵＴＲＡの上位互換性を持つＡｄｖａｎｃｅｄ  ＥＵＴＲＡの議論を行っている。Ａｄｖａｎｃｅｄ  ＥＵＴＲＡにおける技術として、キャリア・アグリゲーション（Ｃａｒｒｉｅｒ  Ａｇｇｒｅｇａｔｉｏｎ）が提案されている。キャリア・アグリゲーションとは、複数の異なる周波数（キャリア）の周波数帯域（コンポーネントキャリア（Ｃｏｍｐｏｎｅｎｔ  Ｃａｒｒｉｅｒ）とも称する）を集約して使用することによって伝送レートを向上させる技術である。また、キャリア・アグリゲーションを用いる場合の一例として、後方互換性のないキャリア（キャリアセグメント（carrier segment）、またはエクステンションキャリア（extension carrier））を集約する方法についても議論がなされた。（非特許文献１、非特許文献２）
【０００４】
キャリアセグメントとは、使用中の帯域幅を拡張するために用いる追加のキャリア（帯域）である。キャリアセグメントを用いることで、移動局装置が使用している周波数帯域の中心周波数を変更せずに、帯域幅だけを拡張させることが可能となる。例えば、１０ＭＨｚの周波数帯域幅を使用している移動局装置に対し、５ＭＨｚのキャリアセグメントを両周波数端に追加することで、移動局装置は２０ＭＨｚ（５ＭＨｚ＋１０ＭＨｚ＋５ＭＨｚ）の周波数帯域幅で通信を行うことが可能となる。キャリアセグメントは、セグメントキャリア、セグメントセル、セルセグメント、部分周波数とも称される。
【０００５】
エクステンションキャリアとは、使用中の帯域幅とは別の追加のキャリア（帯域）である。エクステンションキャリアを用いることで、移動局装置が使用している周波数帯域に影響を与えずに帯域幅を拡張させることが可能となる。例えば、１０ＭＨｚの周波数帯域幅を使用している移動局装置に対し、５ＭＨｚのエクステンションキャリアを追加することで、移動局装置は１５ＭＨｚ（１０ＭＨｚ＋５ＭＨｚ）の周波数帯域幅で通信を行うことが可能となる。エクステンションキャリアは、拡張セルとも称される。
【０００６】
キャリアセグメントやエクステンションキャリアといった後方互換性（下位互換性）のないキャリア（Non-backward compatible carrier、以降、非互換キャリアと称する）と、通常のキャリア（コンポーネントキャリア）との大きな違いは、非互換キャリアでは、基地局装置が同期シグナルおよび物理報知情報チャネルが送信しないように構成できることである。同様に、非互換キャリアでは、基地局装置は物理下りリンク制御チャネルや下りリンクリファレンスシグナルを送信しないように構成できる（物理チャネルの詳細については後述する）。さらに、非互換キャリアでは、基地局装置はページングメッセージを送信しないように構成できる。
【先行技術文献】
【非特許文献】
【０００７】
【非特許文献１】Ｒ１−１００８１３、Ａｌｃａｔｅｌ−Ｌｕｃｅｎｔ、３ＧＰＰ  ＴＳＧ−ＲＡＮ  ＷＧ１＃５９ｂｉｓ、１８−２２  Ｊａｎｕａｒｙ  ２０１０、Ｖａｌｅｎｃｉａ、Ｓｐａｉｎ
【非特許文献２】Ｒ１−１００８０９、Ｈｕａｗｅｉ、３ＧＰＰ  ＴＳＧ−ＲＡＮ  ＷＧ１＃５９ｂｉｓ、１８−２２  Ｊａｎｕａｒｙ  ２０１０、Ｖａｌｅｎｃｉａ、Ｓｐａｉｎ
【発明の概要】
【発明が解決しようとする課題】
【０００８】
しかしながら、非特許文献１や非特許文献２で示される非互換キャリアをＥＵＴＲＡにおいて使用する場合、移動局装置に対して非互換キャリアの設定を適切に行うかについて、その方法について何ら示されていない。
【０００９】
特に、非互換キャリアを設定する際に必要なパラメータやその設定手順について不明であるため、移動局装置は、非互換キャリアを用いたキャリア・アグリゲーションを正しく実施することができない。
【００１０】
上記の課題を鑑みて、本発明の目的は、移動局装置が後方互換性のないキャリアを集約して基地局装置と通信を行う場合において、無線リソース管理を効率的に行なう通信システム、基地局装置、移動局装置、通信方法および集積回路を提供することを目的とする。
【課題を解決するための手段】
【００１１】
（１）上記の目的を達成するために、本発明は以下のような手段を講じた。すなわち本願の通信システムは、移動局装置と基地局装置が、セルの周波数帯域と、前記セルの周波数帯域を拡張する拡張周波数帯域とを集約して通信を行う通信システムであって、前記基地局装置は、前記セルを示す第１の識別子と、前記拡張周波数帯域を示す第２の識別子と、前記第１の識別子と前記第２の識別子との対応関係を示すリンク情報とを設定して前記移動局装置に送信し、前記移動局装置は、前記リンク情報に基づいて前記第１の識別子と前記第２の識別子とをリンクし、前記第１の識別子を用いて前記第２の識別子で示される前記拡張周波数帯域を管理することを特徴とする。
【００１２】
（２）また、本願の通信システムにおいて、前記移動局装置は、非活性化または削除が前記第１の識別子を用いて指示された場合、前記第１の識別子で示される前記セルおよび前記第１の識別子にリンクしている前記第２の識別子で示される前記拡張周波数帯域を非活性化または削除し、非活性化または削除が前記第２の識別子を用いて指示された場合、前記第２の識別子で示される前記拡張周波数帯域を非活性化または削除することを特徴とする。
【００１３】
（３）また、本願の通信システムにおいて、前記移動局装置は、前記第２の識別子で示される前記拡張周波数帯域に対する無線リソース割り当て情報を前記第１の識別子で示される前記セルから受信することを特徴とする。
【００１４】
（４）また、本願の基地局装置は、移動局装置と基地局装置が、セルの周波数帯域と、前記セルの周波数帯域を拡張する拡張周波数帯域とを集約して通信を行う通信システムにおける基地局装置であって、前記セルを示す第１の識別子と、前記拡張周波数帯域を示す第２の識別子と、前記第１の識別子と前記第２の識別子との対応関係を示すリンク情報とを設定して前記移動局装置に送信し、前記移動局装置に対して、前記拡張周波数帯域に対する指示と、前記第１の識別子または前記第２の識別子とを用いることによって、前記拡張周波数帯域または前記セルおよび前記拡張周波数帯域を管理することを特徴とする。
【００１５】
（５）また、本願の基地局装置は、前記第１の識別子で示される前記セルおよび前記第１の識別子にリンクしている前記第２の識別子で示される前記拡張周波数帯域を非活性化または削除する場合、非活性化または削除を前記第１の識別子を用いて前記移動局装置に指示し、前記第２の識別子で示される前記拡張周波数帯域を非活性化または削除する場合、非活性化または削除を前記第２の識別子を用いて前記移動局装置に指示することを特徴とする。
【００１６】
（６）また、本願の基地局装置は、前記第２の識別子で示される前記拡張周波数帯域に対する無線リソース割り当て情報を前記第１の識別子で示される前記セルで送信することを特徴とする。
【００１７】
（７）また、本願の移動局装置は、移動局装置と基地局装置が、セルの周波数帯域と、前記セルの周波数帯域を拡張する拡張周波数帯域とを集約して通信を行う通信システムにおける移動局装置であって、前記基地局装置から、前記セルを示す第１の識別子と、前記拡張周波数帯域を示す第２の識別子と、前記第１の識別子と前記第２の識別子との対応関係を示すリンク情報とを受信し、前記リンク情報に基づいて前記第１の識別子と前記第２の識別子とをリンクし、前記第１の識別子を用いて前記第２の識別子で示される前記拡張周波数帯域を管理することを特徴とする。
【００１８】
（８）また、本願の移動局装置は、非活性化または削除が前記第１の識別子を用いて指示された場合、前記第１の識別子で示される前記セルおよび前記第１の識別子にリンクしている前記第２の識別子で示される前記拡張周波数帯域を非活性化または削除し、非活性化または削除が前記第２の識別子を用いて指示された場合、前記第２の識別子で示される前記拡張周波数帯域を非活性化または削除することを特徴とする。
【００１９】
（９）また、本願の移動局装置は、前記第２の識別子で示される前記拡張周波数帯域に対する無線リソース割り当て情報を前記第１の識別子で示される前記セルから受信することを特徴とする。
【００２０】
（１０）また、本願の通信方法は、移動局装置と基地局装置が、セルの周波数帯域と、前記セルの周波数帯域を拡張する拡張周波数帯域とを集約して通信を行う通信方法であって、前記基地局装置は、前記セルを示す第１の識別子と、前記拡張周波数帯域を示す第２の識別子と、前記第１の識別子と前記第２の識別子との対応関係を示すリンク情報とを設定するステップと、前記リンク情報を前記移動局装置に送信するステップとを備え、前記移動局装置は、前記リンク情報に基づいて前記第１の識別子と前記第２の識別子とをリンクするステップと、前記第１の識別子を用いて前記第２の識別子で示される前記拡張周波数帯域を管理するステップを備えることを特徴とする。
【００２１】
（１１）また、本願の通信方法は、前記移動局装置は、非活性化または削除が前記第１の識別子を用いて指示された場合、前記第１の識別子で示される前記セルおよび前記第１の識別子にリンクしている前記第２の識別子で示される前記拡張周波数帯域を非活性化または削除し、非活性化または削除が前記第２の識別子を用いて指示された場合、前記第２の識別子で示される前記拡張周波数帯域を非活性化または削除することを特徴とする。
【００２２】
（１２）また、本願の通信方法は、前記移動局装置は、前記第２の識別子で示される前記拡張周波数帯域に対する無線リソース割り当て情報を前記第１の識別子で示される前記セルから受信することを特徴とする。
【００２３】
（１３）また、本願の移動局装置の集積回路は、移動局装置と基地局装置が、セルの周波数帯域と、前記セルの周波数帯域を拡張する拡張周波数帯域とを集約して通信を行う通信システムにおける移動局装置の集積回路であって、前記基地局装置から、前記セルを示す第１の識別子と、前記拡張周波数帯域を示す第２の識別子と、前記第１の識別子と前記第２の識別子との対応関係を示すリンク情報とを受信し、前記リンク情報に基づいて前記第１の識別子と前記第２の識別子とをリンクし、前記第１の識別子を用いて前記第２の識別子で示される前記拡張周波数帯域を管理する機能を備えたことを特徴とする。
【００２４】
本明細書では、移動局装置と基地局装置が複数の周波数を用いて接続される場合における通信システム、基地局装置、移動局装置および無線リソースの管理方法の改良という点において本発明を開示するが、本発明が適用可能な通信方式は、ＥＵＴＲＡまたはＡｄｖａｎｃｅｄ  ＥＵＴＲＡのようにＥＵＴＲＡと上位互換性のある通信方式に限定されるものではない。例えば、本発明はＵＭＴＳ（Universal Mobile Telecommunications System）にも適用することができる。
【発明の効果】
【００２５】
以上説明したように、本発明によれば、移動局装置が後方互換性のないキャリアを集約して基地局装置と通信を行う場合において、無線リソース管理を効率的に行なう通信システム、基地局装置、移動局装置、通信方法および集積回路を提供することが出来る。
【図面の簡単な説明】
【００２６】
【図１】本発明における移動局装置の概略構成を示すブロック図である。
【図２】本発明における基地局装置の概略構成を示すブロック図である。
【図３】第１の実施形態における非互換キャリアの追加手順について説明するためのシーケンスチャート図である。
【図４】第１の実施形態における非互換キャリアの活性化手順について説明するためのシーケンスチャート図である。
【図５】第１の実施形態における非互換キャリアの非活性化手順について説明するためのシーケンスチャート図である。
【図６】第１の実施形態における非互換キャリアの削除手順について説明するためのシーケンスチャート図である。
【図７】第１の実施形態におけるキャリアセグメントの設定パラメータと在圏セルとの関係について説明するための図である。
【図８】第１の実施形態におけるエクステンションキャリアの設定パラメータと在圏セルとの関係について説明するための図である。
【図９】第２の実施形態における非互換キャリアの追加手順について説明するためのシーケンスチャート図である。
【図１０】第２の実施形態における非互換キャリアの活性化手順について説明するためのシーケンスチャート図である。
【図１１】第２の実施形態におけるセカンダリセルと非互換キャリアの非活性化手順について説明するためのシーケンスチャート図である。
【図１２】第２の実施形態におけるセカンダリセルと非互換キャリアの削除手順について説明するための別のシーケンスチャート図である。
【図１３】本発明の実施形態に係る通信ネットワーク構成の一例を示した図である。
【図１４】本発明の実施形態に係る移動局装置に対するコンポーネントキャリアの設定の一例を示した図である。
【図１５】本発明の実施形態に係る移動局装置に対するキャリアセグメントの設定の一例を示した図である。
【図１６】本発明の実施形態に係る移動局装置に対するエクステンションキャリアの設定の一例を示した図である。
【発明を実施するための形態】
【００２７】
本発明の実施形態を説明する前に、本発明に関わるキャリア・アグリゲーション、物理チャネル、通信ネットワーク構成などについて簡単に説明する。
【００２８】
[キャリア・アグリゲーション]
キャリア・アグリゲーションとは、複数の異なる周波数（コンポーネントキャリア、または周波数帯域）を集約（アグリゲーション）して一つの周波数（周波数帯域）のように扱う技術である。例えば、キャリア・アグリゲーションによって周波数帯域幅が２０ＭＨｚのコンポーネントキャリアを５つ集約した場合、移動局装置はこれらを一つの１００ＭＨｚの周波数帯域幅とみなしてアクセスすることが可能となる。なお、集約するコンポーネントキャリアは連続した周波数であっても、全てまたは一部が不連続となる周波数であってもよい。例えば、使用可能な周波数が８００ＭＨｚ帯、２．４ＧＨｚ帯、３．４ＧＨｚ帯である場合、ある一つのコンポーネントキャリアが８００ＭＨｚ帯、別のコンポーネントキャリアが２ＧＨｚ帯、さらに別のコンポーネントキャリアが３．４ＧＨｚ帯で送信されていてもよい。
【００２９】
また、同一周波数帯、例えば２．４ＧＨｚ帯内の連続または不連続のコンポーネントキャリアを集約することも可能である。各コンポーネントキャリアの周波数帯域幅は２０ＭＨｚより狭い周波数帯域幅であっても良く、各々周波数帯域幅が異なっていても良い。基地局装置は、滞留しているデータバッファ量や移動局装置の受信品質、セル内の負荷やＱｏＳなどの種々の要因に基づいて、移動局装置に割り当てる上りリンクまたは下りリンクのコンポーネントキャリアの数を増減することができる。なお、基地局装置が割り当てる上りリンクコンポーネントキャリアの数は、下りリンクコンポーネントキャリアの数と同じか少ないことが望ましい。
【００３０】
また、基地局装置は、１つの下りリンクのコンポーネントキャリアと１つの上りリンクのコンポーネントキャリアを組み合わせて１つのセルを構成する。なお、基地局装置は、１つの下りリンクコンポーネントキャリアのみを用いて（すなわち、上りリンクコンポーネントキャリアの割り当てがない）１つのセルを構成することもできる。
【００３１】
また、移動局装置は、キャリア・アグリゲーションによって、キャリアセグメントまたはエクステンションキャリアといった非互換キャリアを一つのコンポーネントキャリアに対して集約して使用することができる。非互換キャリアとコンポーネントキャリアとは、連続した周波数である必要はなく、コンポーネントキャリアと異なる周波数の非互換キャリアとを集約することも可能である。非互換キャリアの周波数帯域幅は、コンポーネントキャリアに設定可能な周波数帯域幅と同じであることが好適であるが、任意の周波数帯域であっても構わない。
【００３２】
[物理チャネル]
ＥＵＴＲＡおよびＡｄｖａｎｃｅｄ  ＥＵＴＲＡで使用される主な物理チャネル（または物理シグナル）について説明を行なう。チャネルとは信号の送信に用いられる媒体を意味し、物理チャネルとは信号の送信に用いられる物理的な媒体を意味する。物理チャネルは、ＥＵＴＲＡ、およびＡｄｖａｎｃｅｄ  ＥＵＴＲＡにおいて、今後追加、または、その構造が変更される可能性もあるが、変更された場合でも本発明の各実施形態の説明には影響しない。
【００３３】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（セルＩＤ：Physical Cell Identity; PCI）と、無線同期のためのフレームタイミングが示される。移動局装置は、セルサーチによって受信した同期シグナルのセルＩＤを特定する。
【００３４】
物理報知情報チャネル（PBCH; Physical Broadcast Channel）は、セル内の移動局装置で共通に用いられる制御パラメータ（報知情報（システム情報）；System information）を通知する目的で送信される。物理報知情報チャネルで通知されない報知情報は、物理下りリンク制御チャネルで無線リソースが通知され、物理下りリンク共用チャネルによってレイヤ３メッセージ（システムインフォメーション）で送信される。報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス制御情報などが通知される。
【００３５】
下りリンクリファレンスシグナルは、セル毎に所定の電力で送信されるパイロットシグナルである。また、下りリンクリファレンスシグナルは、所定の規則に基づき周波数・時間位置で周期的に繰り返される既知の信号である。移動局装置は、下りリンクリファレンスシグナルを受信することでセル毎の受信品質を測定する。また、移動局装置は、下りリンクリファレンスシグナルと同時に送信される物理下りリンク制御チャネル、または物理下りリンク共用チャネルの復調のための参照用の信号としても下りリンクリファレンスシグナルを使用する。下りリンクリファレンスシグナルに使用される系列は、セル毎に識別可能な系列が用いられる。なお、下りリンクリファレンスシグナルはセル固有ＲＳ（Cell-specific reference signals）と記載される場合もあるが、その用途と意味は同じである。
【００３６】
上りリンクリファレンスシグナル（上りリンク参照信号：Uplink Reference Signal、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＲＳ：Demodulation Reference Signal）と、基地局装置が、主に、上りリンクのチャネル状態を推定するために使用するサウンディング参照信号（ＳＲＳ：Sounding Reference Signal）が含まれる。
【００３７】
物理下りリンク制御チャネル（PDCCH; Physical Downlink Control Channel）は、各サブフレームの先頭からいくつかのＯＦＤＭシンボルで送信され、移動局装置に対して基地局装置のスケジューリングに従った無線リソース割り当て情報や、送信電力の増減の調整量を指示する目的で使用される。移動局装置は、下りリンクデータや下りリンク制御データであるレイヤ３メッセージ（ページング、ハンドオーバーコマンドなど）を送受信する前に自局宛の物理下りリンク制御チャネルを監視（モニタ）し、自局宛の物理下りリンク制御チャネルを受信することで、送信時には上りリンクアサインメント（または、上りリンクグラント）、受信時には下りリンクアサインメント（または、下りリンクグラント）と呼ばれる無線リソース割り当て情報を物理下りリンク制御チャネルから取得する必要がある。
【００３８】
物理上りリンク制御チャネル（PUCCH; Physical Uplink Control Channel）は、物理下りリンク共用チャネルで送信されたデータの受信確認応答（ＡＣＫ／ＮＡＣＫ：Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路情報（ＣＱＩ：Ｃｈａｎｎｅｌ  Ｑｕａｌｉｔｙ  Ｉｎｄｉｃａｔｏｒ）、上りリンクの無線リソース要求であるスケジューリングリクエスト（ＳＲ：Ｓｃｈｅｄｕｌｉｎｇ  Ｒｅｑｕｅｓｔ）を行なうために使用される。
【００３９】
物理下りリンク共用チャネル（PDSCH; Physical Downlink Shared Channel）は、下りリンクデータの他、下りリンク制御データであるレイヤ３メッセージとしてページングや報知情報を通知するためにも使用される。物理下りリンク共用チャネルの無線リソース割り当て情報（下りリンクアサインメント）は、物理下りリンク制御チャネルで事前に示される。
【００４０】
物理上りリンク共用チャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、下りリンクと同様に物理上りリンク共用チャネルの無線リソース割り当て情報（上りリンクアサインメント）は、物理下りリンク制御チャネルで事前に示される。
【００４１】
物理ランダムアクセスチャネル（PRACH; Physical Random Access Channel）は、プリアンブル系列を通知するために使用されるチャネルであり、ガードタイムを持つ。プリアンブル系列は、６４種類のシーケンスを用意して６ビットの情報を表現するように構成されている。物理ランダムアクセスチャネルは、移動局装置の基地局装置へのアクセス手段として用いられる。移動局装置は、物理上りリンク制御チャネル未設定時の無線リソース要求や、上りリンク送信タイミングを基地局装置の受信タイミングウィンドウに合わせるために必要な送信タイミング調整情報（タイミングアドバンス（ＴＡ：Ｔｉｍｉｎｇ  Ａｄｖａｎｃｅ）とも呼ばれる）を基地局装置に要求するために物理ランダムアクセスチャネルを用いる。
【００４２】
具体的には、移動局装置は、基地局装置より設定された物理ランダムアクセスチャネル用の無線リソースを用いてプリアンブル系列を送信する。送信タイミング調整情報を受信した移動局装置は、送信タイミング調整情報の有効時間を計時する送信タイミングタイマー（ＴＡ  ｔｉｍｅｒ）を設定し、有効時間中は送信タイミング調整状態、有効期間外は、送信タイミング非調整状態として状態を管理する。なお、それ以外の物理チャネルは、本発明の各実施形態に関わらないため詳細な説明は省略する。
【００４３】
[本発明の通信ネットワーク構成の例]
図１３は、本発明の実施形態に係る通信ネットワーク構成の一例を示す図である。移動局装置１は、キャリア・アグリゲーションによって複数の周波数（コンポーネントキャリアまたは非互換キャリア、Band1~Band3）を同時に用いて基地局装置２と無線接続することが可能な場合、通信ネットワーク構成としては、ある一つの基地局装置２が複数の周波数毎に送信装置１１〜１３（および図示しない受信装置２１〜２３）を備えており、各周波数の制御を一つの基地局装置２で行なう構成が制御の簡略化の観点から好適である。基地局装置２の構成は図１３に限定されない。ただし、複数の周波数が連続する周波数であるなどの理由で、基地局装置２が一つの送信装置で複数の周波数の送信を行なう構成であっても構わない。さらには、周波数毎に送受信のタイミングが異なるような構成であっても良い。送信装置と受信装置の数や送受信可能な周波数が異なっていてもよい。基地局装置２の送信装置によって制御される各周波数の通信可能範囲はセルとしてみなされる。このとき、各周波数がカバーするエリア（セル）はそれぞれ異なる広さ、異なる形状であっても良い。
【００４４】
ただし、後述する記載において、基地局装置２が構成するコンポーネントキャリアの周波数でカバーされるエリアのことをそれぞれセルと称して説明するが、これは実際に運用される通信システムにおけるセルの定義とは異なる可能性があることに注意する。例えば、ある通信システムでは、キャリア・アグリゲーションによって用いられるコンポーネントキャリアの一部のことを、セルではなく単なる追加の無線リソースと定義するかもしれない。また、従来のセルとは異なる拡張セルとして定義するかもしれない。本発明でコンポーネントキャリアをセルと称することで、実際に運用される通信システムにおけるセルの定義と異なる場合が発生したとしても、本発明の主旨には影響しない。
【００４５】
なお、非互換キャリアではコンポーネントキャリアで送信される一部の信号またはチャネルが存在しないため、非互換キャリアだけではセルを構成できず、通信に使用できない。また、キャリア・アグリゲーションは、複数のコンポーネントキャリアを用いた複数のセルによる通信であり、セルアグリゲーションとも称される。なお、移動局装置１は、周波数毎にリレー局装置（またはリピーター）を介して基地局装置２と無線接続されても良い。すなわち、本発明の基地局装置２は、リレー局装置に置き換えることが出来る。
【００４６】
３ＧＰＰが規定する第３世代の基地局装置２はノードＢ（NodeB）と称され、ＥＵＴＲＡおよびＡｄｖａｎｃｅｄ  ＥＵＴＲＡにおける基地局装置はイーノードＢ（eNodeB）と称される。なお、３ＧＰＰが規定する第３世代の移動局装置１はユーイー（ＵＥ：Ｕｓｅｒ  Ｅｑｕｉｐｍｅｎｔ）と称される。基地局装置２は移動局装置１が通信可能なエリアであるセルを管理し、セルは移動局装置１と通信可能なエリアの大きさに応じてマクロセルやフェムトセルやピコセル、ナノセルとも称される。また、移動局装置１がある基地局装置２と通信可能であるとき、その基地局装置２のセルのうち、移動局装置１との通信に使用しているセルは在圏セル（Serving cell）であり、その他のセルは周辺セル（Neighboring cell）と称される。つまり、キャリア・アグリゲーションを用いて移動局装置１と基地局装置２が複数のセルを用いて通信している場合、在圏セルは複数存在することになる。
【００４７】
[コンポーネントキャリアの構成の設定例]
図１４は、本発明の実施形態に係る移動局装置１がキャリア・アグリゲーションを行なう場合に、基地局装置２が移動局装置１に対して設定（configure）する下りリンクコンポーネントキャリアと、上りリンクコンポーネントキャリアの対応関係の一例を示した図である。図１４では、２個の下りリンクコンポーネントキャリア（下りリンクコンポーネントキャリアＤＬ＿ＣＣ１、下りリンクコンポーネントキャリアＤＬ＿ＣＣ２）と２個の上りリンクコンポーネントキャリア（上りリンクコンポーネントキャリアＵＬ＿ＣＣ１、上りリンクコンポーネントキャリアＵＬ＿ＣＣ２）の対応関係について示すが、本発明が２個のコンポーネントキャリアの場合に限定されるということではない。図１４中の下りリンクコンポーネントキャリアＤＬ＿ＣＣ１と上りリンクコンポーネントキャリアＵＬ＿ＣＣ１、および下りリンクコンポーネントキャリアＤＬ＿ＣＣ２と上りリンクコンポーネントキャリアＵＬ＿ＣＣ２がセル固有接続（Ｃｅｌｌ  Ｓｐｅｃｉｆｉｃ  Ｌｉｎｋａｇｅ）している。
【００４８】
セル固有接続とは、例えば、移動局装置１がキャリア・アグリゲーションしていない場合に、基地局装置２にアクセス可能な上りリンクと下りリンクの周波数帯域の対応関係（連携関係）であり、典型的には報知情報の一部（ＳＩＢ２：Ｓｙｓｔｅｍ  Ｉｎｆｏｒｍａｔｉｏｎ  Ｂｌｏｃｋ  Ｔｙｐｅ２）でその対応関係が示される。セル固有接続は、ＳＩＢ２  ｌｉｎｋａｇｅとも称される。セルにおける上りリンクと下りリンクの周波数の対応関係は、報知情報に周波数情報として明示的に指示されるか、または明示的に指示されない場合に運用周波数毎に一意に決められる上りリンクと下りリンクの規定の周波数差の情報を用いるなどして暗黙的に指示される。これらの方法に限らず、セル毎に上りリンクと下りリンクの周波数帯域の対応関係を示すことが可能であれば、これ以外の方法を用いて指示されても良い。
【００４９】
これに対し、基地局装置２は、下りリンクコンポーネントキャリアと上りリンクコンポーネントキャリアの対応関係を、セル固有接続とは別に移動局装置１毎に個別に設定（個別接続；ＵＥ  Ｓｐｅｃｉｆｉｃ  Ｌｉｎｋａｇｅ）することも可能である。このとき、個別接続の設定はＲＲＣメッセージで示される。基地局装置２は、物理ランダムアクセスチャネルの送信に必要な設定（コンフィギュレーション）を上りリンクコンポーネントキャリア毎、または上りリンク周波数毎に複数割り当てることも可能である。
【００５０】
[非互換キャリアの構成の設定例（１）]
図１５は、本発明の実施形態に係る移動局装置１がキャリアセグメントを用いたキャリア・アグリゲーションを行なう場合に、基地局装置２が移動局装置１に対して設定するコンポーネントキャリアと、キャリアセグメントとの対応関係の一例を示した図である。なお、キャリアセグメントを用いた、とは、当該キャリアセグメントによって使用可能となる追加の無線リソース（拡張周波数帯域）を用いた通信のことを意味する。図１５では、下りリンクコンポーネントキャリアＤＬ＿ＣＣｎと上りリンクコンポーネントキャリアＵＬ＿ＣＣｎとで構成されるコンポーネントキャリア（セル）に対して、下りリンクキャリアセグメントおよび上りリンクキャリアセグメントが設定された例を示している。
【００５１】
図中の下りリンクキャリアセグメントとして示される部分は、下りリンクコンポーネントキャリアＤＬ＿ＣＣｎに対して拡張されるキャリアセグメントである。また、図中の上りリンクキャリアセグメントとして示される部分は、上りリンクコンポーネントキャリアＵＬ＿ＣＣｎに対して拡張されるキャリアセグメントである。図１５の移動局装置１および基地局装置２は、キャリア・アグリゲーションを用いていない場合は、ＤＬ＿ＣＣｎとＵＬ＿ＣＣｎの周波数帯域（通常帯域幅）の範囲で通信を行い、キャリア・アグリゲーションとしてキャリアセグメントを集約して用いる場合は、キャリアセグメントを追加した周波数帯域（拡張周波数帯域幅）の範囲で通信を行う。
【００５２】
なお、基地局装置２は、移動局装置１に対して下りリンクキャリアセグメントまたは上りリンクキャリアセグメントのどちらか一方のみを設定（追加）することも可能である。また、キャリアセグメントを設定する上りリンクと下りリンクの通常帯域幅はそれぞれ異なっていてもよい。例えば、下りリンクの通常帯域幅が１０ＭＨｚと上りリンクの通常帯域幅が５ＭＨｚのセルに対してキャリアセグメントが設定されてもよい。また、キャリアセグメントを設定した後の上りリンクと下りリンクの拡張周波数帯域の周波数帯域幅（拡張周波数帯域幅）はそれぞれ異なっていてもよい。例えば、拡張後の下りリンクの帯域幅が２０ＭＨｚ、拡張後の上りリンクの帯域幅が１５ＭＨｚであってもよい。ただし、拡張後の周波数帯域幅の上限は、移動局装置１の無線構成を簡略化するために２０ＭＨｚを超えないように制限されることが望ましい。
【００５３】
設定されるキャリアセグメントは、追加する周波数帯域の両端で同じ帯域幅である必要はなく、非対称であっても構わない。すなわち、ＤＬ＿ＣＣｎまたはＵＬ＿ＣＣｎに設定されるキャリアセグメントのうち、低周波数側が５ＭＨｚであって、高周波数側が１０ＭＨｚのキャリアセグメントを設定することも可能である。
【００５４】
[非互換キャリアの構成の設定例（２）]
図１６は、本発明の実施形態に係る移動局装置１がエクステンションキャリアを用いたキャリア・アグリゲーションを行なう場合に、基地局装置２が移動局装置１に対して設定するコンポーネントキャリアと、エクステンションキャリアとの対応関係の一例を示した図である。なお、エクステンションキャリアを用いた、とは、当該エクステンションキャリアによって使用可能となる追加の無線リソース（拡張周波数帯域幅）を用いた通信のことを意味する。図１６では、下りリンクコンポーネントキャリアＤＬ＿ＣＣｎと上りリンクコンポーネントキャリアＵＬ＿ＣＣｎとで構成されるコンポーネントキャリア（セル）に対して、下りリンクエクステンションキャリアＤＬ＿ＥＣおよび上りリンクエクステンションキャリアＵＬ＿ＥＣが設定された例を示している。
【００５５】
図中の下りリンクエクステンションキャリアＤＬ＿ＥＣとして示される部分は、下りリンクコンポーネントキャリアＤＬ＿ＣＣｎに対して拡張されるキャリアセグメントである。また、図中の上りリンクエクステンションキャリアＵＬ＿ＥＣとして示される部分は、上りリンクコンポーネントキャリアＵＬ＿ＣＣｎに対して拡張されるエクステンションキャリアである。図１６の移動局装置１および基地局装置２は、キャリア・アグリゲーションを用いていない場合は、ＤＬ＿ＣＣｎとＵＬ＿ＣＣｎの周波数帯域幅（通常帯域幅）の範囲で通信を行い、キャリア・アグリゲーションとしてエクステンションキャリアを集約して用いる場合は、エクステンションキャリアを追加した周波数帯域（拡張周波数帯域幅）の範囲で通信を行う。
【００５６】
なお、基地局装置２は、移動局装置１に対して下りリンクエクステンションキャリアまたは上りリンクエクステンションキャリアのどちらか一方のみを設定（追加）することも可能である。また、エクステンションキャリアを設定する上りリンクと下りリンクの通常帯域幅はそれぞれ異なっていてもよい。例えば、下りリンクの通常帯域幅が１０ＭＨｚと上りリンクの通常帯域幅が５ＭＨｚのセルに対してエクステンションキャリアが設定されてもよい。また、エクステンションキャリアを設定した後の上りリンクと下りリンクの拡張周波数帯域幅はそれぞれ異なっていてもよい。例えば、拡張後の下りリンクの帯域幅が２０ＭＨｚ、拡張後の上りリンクの帯域幅が１５ＭＨｚであってもよい。ただし、エクステンションキャリアの周波数帯域幅の上限は、移動局装置１の無線構成を簡略化するために２０ＭＨｚを超えないように制限されることが望ましい。
【００５７】
以上の事項を考慮しつつ、以下、添付図面に基づき、本発明の好適な実施形態について詳細に説明する。なお、本発明の説明において、本発明に関連した公知の機能や構成についての具体的な説明が、本発明の要旨を不明瞭にすると判断される場合には、その詳細な説明を省略する。
【００５８】
＜第１の実施形態＞
本発明の第１の実施形態について以下に説明する。本実施形態は、移動局装置１のプライマリセルに対する非互換キャリアを用いたキャリア・アグリゲーションの設定方法と、当該非互換キャリアの受信方法に関して示す。
【００５９】
図１は、本発明の第１の実施形態による移動局装置１の一例を示すブロック図である。本移動局装置１は、受信部１０１、復調部１０２、復号部１０３、測定処理部１０４、制御部１０５、ランダムアクセス制御部１０６、符号部１０７、変調部１０８、送信部１０９、タイミング管理部１１０、上位レイヤ１１１から構成される。上位レイヤ１１１は、無線リソース制御を執り行うＲＲＣ（Ｒａｄｉｏ  Ｒｅｓｏｕｒｃｅ  Ｃｏｎｔｒｏｌ）を含む。また、ランダムアクセス制御部１０６は、データリンク層を管理するＭＡＣ（Ｍｅｄｉｕｍ  Ａｃｃｅｓｓ  Ｃｏｎｔｒｏｌ）の一部として機能する。
【００６０】
受信に先立ち、上位レイヤ１１１より制御部１０５へ移動局装置制御情報が入力され、受信に関する制御情報が受信制御情報として、受信部１０１、復調部１０２、復号部１０３へ適切に入力される。移動局装置制御情報は、受信制御情報と送信制御情報によって構成される移動局装置１の無線通信制御に必要な情報であり、基地局装置２やシステムパラメータにより設定され、上位レイヤ１１１が必要に応じて制御部１０５へ入力する。受信制御情報は、受信周波数帯域の情報の他に、各チャネルに関する受信タイミング、多重方法、無線リソース配置情報などの情報が含まれている。
【００６１】
受信信号は、受信部１０１において受信される。受信部１０１は、受信制御情報で指定された周波数帯域で信号を受信する。受信された信号は、復調部１０２へと入力される。復調部１０２は、受信信号の復調を行い、復号部１０３へと信号を入力して下りリンクデータと下りリンク制御データとを正しく復号し、復号された各データを上位レイヤへと入力する。測定処理部１０４は、セル（コンポーネントキャリア）毎の下りリンクリファレンスシグナルの受信品質（ＳＩＲ、ＳＩＮＲ、ＲＳＲＰ、ＲＳＲＱ、ＲＳＳＩ、パスロスなど）の測定や、物理下りリンク制御チャネルまたは物理下りリンク共用チャネルの受信誤り率の測定結果に基づいて下りリンク測定情報を生成し、下りリンク測定情報を上位レイヤ１１１へと出力する。下りリンク測定情報は、上位レイヤ１１１において、無線リンク再確立を伴う無線リンク障害（Radio link failure）の検出、および上りリンク送信の停止を伴う無線リンク監視（Radio link monitoring）の実施、セルごとの測定イベントの評価のために用いられる。
【００６２】
また、送信に先立ち、上位レイヤ１１１より制御部１０５へ移動局装置制御情報が入力され、送信に関する制御情報が送信制御情報として、ランダムアクセス制御部１０６、符号部１０７、変調部１０８、送信部１０９へ適切に入力される。送信制御情報は、送信信号の上りリンクスケジューリング情報として、符号化情報、変調情報、送信周波数帯域の情報、各チャネルに関する送信タイミング、多重方法、無線リソース配置情報などの情報が含まれている。ランダムアクセス制御情報は上位レイヤ１１１からランダムアクセス制御部１０６に入力される。ランダムアクセス制御情報には、プリアンブル情報や物理ランダムアクセスチャネル送信用の無線リソース情報などが含まれる。上位レイヤ１１１は、必要に応じてタイミング管理部１１０へ上りリンク送信タイミングの調整に用いる送信タイミング調整情報と送信タイミングタイマーを設定する。タイミング管理部１１０は、設定された情報に基づき上りリンク送信タイミングの状態（送信タイミング調整状態または送信タイミング非調整状態）を管理する。
【００６３】
符号部１０７には、上位レイヤ１１１より上りリンクデータと上りリンク制御データが入力されるほか、ランダムアクセス制御部１０６から、物理ランダムアクセスチャネルの送信に関するランダムアクセスデータ情報が入力される。符号部１０７は、ランダムアクセスデータ情報に基づき物理ランダムアクセスチャネルで送信されるプリアンブル系列を生成する。また、符号部１０７は送信制御情報に従い、各データを適切に符号化し、変調部に出力する。変調部１０８は、符号部１０７からの出力を変調する。
【００６４】
送信部１０９は、変調部１０８の出力を周波数領域にマッピングすると共に、周波数領域の信号を時間領域の信号へ変換し、既定の周波数の搬送波にのせて電力増幅を行う。さらに、タイミング管理部１１０より入力された送信タイミング調整情報に従って上りリンク送信タイミングを調整して送信する。上りリンク制御データが配置される物理上りリンク共用チャネルは、典型的にはレイヤ３メッセージ（無線リソース制御メッセージ；ＲＲＣメッセージ）を構成する。図１において、その他の移動局装置１の構成要素は本実施の形態に関係ないため省略してある。
【００６５】
図２は、本発明の第１の実施形態による基地局装置２の一例を示すブロック図である。本基地局装置２は、受信部２０１、復調部２０２、復号部２０３、制御部２０４、符号部２０５、変調部２０６、送信部２０７、上位レイヤ２０８、ネットワーク信号送受信部２０９から構成される。
【００６６】
上位レイヤ２０８は、下りリンクデータと下りリンク制御データを符号部へ入力する。符号部２０５は、入力されたデータを符号化し、変調部２０６へ入力する。変調部２０６は、符号化した信号の変調を行なう。また、変調部２０６から出力される信号は送信部２０７に入力される。送信部２０７は、入力された信号を周波数領域にマッピングした後、周波数領域の信号を時間領域の信号へ変換し、既定の周波数の搬送波にのせて電力増幅を行い送信する。下りリンク制御データが配置される物理下りリンク共用チャネルは、典型的にはレイヤ３メッセージ（ＲＲＣメッセージ）を構成する。
【００６７】
また、受信部２０１は、移動局装置から受信した信号をベースバンドのデジタル信号に変換する。デジタル信号は、復調部２０２へ入力されて復調される。復調部２０２で復調された信号は続いて符号部２０３へ入力されて復号され、正しく復号された上りリンク制御データや上りリンクデータを上位レイヤ２０８へと出力する。これら各ブロックの制御に必要な基地局装置制御情報は、受信制御情報と送信制御情報によって構成される基地局装置２の無線通信制御に必要な情報であり、上位のネットワーク装置（ＭＭＥやゲートウェイ装置）やシステムパラメータにより設定され、上位レイヤ２０８が必要に応じて制御部２０４へ入力する。制御部２０４は、送信に関連する基地局装置制御情報を、送信制御情報として符号部２０５、変調部２０６、送信部２０７の各ブロックに、受信に関連する基地局装置制御情報を、受信制御情報として受信部２０１、復調部２０２、復号部２０３の各ブロックに適切に入力する。基地局装置２のＲＲＣは、上位レイヤ２０８の一部として存在する。
【００６８】
一方、ネットワーク信号送受信部２０９は、基地局装置２間あるいは上位のネットワーク装置と基地局装置２との間の制御メッセージの送信または受信を行なう。図２において、その他の基地局装置２の構成要素は本実施の形態に関係ないため省略してある。
【００６９】
また、本移動局装置１と本基地局装置２が配置される通信システムのネットワーク構成は、図１３に示したものと同様のものを適用できる。
【００７０】
本発明における、キャリア・アグリゲーション可能な移動局装置１に設定されているセル（コンポーネントキャリア）は、例えば図１４に示したような２個のセル、つまり２個の下りリンクコンポーネントキャリア（ＤＬ＿ＣＣ１、ＤＬ＿ＣＣ２）と２個の上りリンクコンポーネントキャリア（ＵＬ＿ＣＣ１、ＵＬ＿ＣＣ２）が移動局装置１に設定されている例を想定する。基地局装置２からこれらのコンポーネントキャリアの活性化（ａｃｔｉｖａｔｉｏｎ、アクティベーション）が明示的または暗黙的に指示されている場合、移動局装置１は下りリンク受信と上りリンク送信のために、活性化しているコンポーネントキャリアを使用することができる。一方、基地局装置２からコンポーネントキャリアの非活性化（ｄｅａｃｔｉｖａｔｉｏｎ、ディアクティベーション）が明示的または暗黙的に指示されている場合、移動局装置１は下りリンク受信と上りリンク送信のために、非活性化されたコンポーネントキャリアを使用することはできない。非活性化は、下りリンクと上りリンクとをペアとして管理しても良いし、独立して管理しても良い。
【００７１】
ここで、コンポーネントキャリアの活性化、または非活性化は、レイヤ２の構成タスクで解釈可能なＬ２メッセージ（レイヤ２メッセージ）によって制御されるように構成される。すなわち、物理層（レイヤ１）でデコードされた後にレイヤ２で認識される制御コマンド（活性化コマンド、非活性化コマンド）によって活性化または非活性化が制御される。なお、ＥＵＴＲＡならびにＡｄｖａｎｃｅｄ  ＥＵＴＲＡにおけるＬ２メッセージは、ＭＡＣ層で解釈される制御コマンド（ＭＡＣ制御要素：ＭＡＣ  Ｃｏｎｔｒｏｌ  Ｅｌｅｍｅｎｔ）によって通知される。
【００７２】
スケジューリングリクエストを通知するための物理上りリンク制御チャネルが設定される上りリンクコンポーネントキャリアと、当該上りリンクコンポーネントキャリアとセル固有接続される下りリンクコンポーネントキャリアから構成されるセルは、プライマリセル（Ｐｒｉｍａｒｙ  ｃｅｌｌ）と称される。また、プライマリセル以外のコンポーネントキャリアから構成されるセルは、セカンダリセル（Ｓｅｃｏｎｄａｒｙ  ｃｅｌｌ）と称される。プライマリセルは活性化／非活性化の制御の対象外であるが（つまり必ず活性化しているとみなされる）、セカンダリセルは活性化／非活性化という状態を持ち、これらの状態の変更は、基地局装置２から明示的に指定されるほか、コンポーネントキャリア毎に移動局装置１に設定されるタイマーに基づいて状態が変更される。
【００７３】
また、移動局装置１は、プライマリセルでは、基地局装置２より指定されたパラメータに基づき無線リンク障害の検出を行い、少なくとも活性化されたセカンダリセルでは、同パラメータを用いた無線リンク監視を実施する。
【００７４】
移動局装置１は、非活性化されたコンポーネントキャリア（セカンダリセル）のスケジューリングに用いる物理下りリンク制御チャネルのモニタ、または無線リソース割り当て情報のモニタを停止してよい。また、移動局装置１は、非活性化されたコンポーネントキャリア（セカンダリセル）の上りリンクに関して、サウンディング参照信号の送信を停止してもよい。また、移動局装置１は、非活性化されたコンポーネントキャリア（セカンダリセル）の下りリンクに関して、活性化した状態よりも低いサンプリングレートで測定を実施してもよい。
【００７５】
図３は、第１の実施形態における移動局装置１と基地局装置２とが、キャリア・アグリゲーションによって非互換キャリアを用いた通信を行うための準備として、プライマリセルに対して非互換キャリアを追加（設定）する手順について説明するためのシーケンスチャート図である。本実施例における非互換キャリアは、キャリアセグメントとエクステンションキャリアのどちらであってもよい。
【００７６】
本シーケンスチャートは、移動局装置１と基地局装置２との間で１つのセルを用いた接続が確立している状態（コネクティッド状態）から開始される。なお、移動局装置１に１つ以上のセカンダリセルが設定されていても本実施形態には影響しない。基地局装置２は、移動局装置１に対して周辺セルを測定するための測定設定（measurement configuration）を通知し、移動局装置１は測定設定に従って在圏セル（プライマリセル、またはプライマリセルとセカンダリセル）および周辺セルを測定している。
【００７７】
基地局装置２は、移動局装置１から報告された測定結果やバッファ状況報告（バッファステータスレポート）などに基づいて、非互換キャリアを用いたキャリア・アグリゲーションが移動局装置１に対して必要であると判断した場合、プライマリセルに対して非互換キャリアの追加を指示する非互換キャリア追加メッセージを送信する（ステップＳ１０１）。非互換キャリア追加メッセージは、レイヤ３メッセージ（ＲＲＣメッセージ）で構成されることが望ましい。
【００７８】
非互換キャリア追加メッセージを受信し、非互換キャリアを追加した移動局装置１は、非互換キャリア追加メッセージを正しく受信し、適切に制御を行ったことを基地局装置２に対して通知するため、非互換キャリア追加完了メッセージを生成して基地局装置２へ送信する（ステップＳ１０２）。非互換キャリア追加完了メッセージは、対応する非互換キャリア追加メッセージと同じメッセージＩＤを設定し、レイヤ３メッセージ（ＲＲＣメッセージ）で構成されることが望ましい。
【００７９】
ここで、ステップＳ１０１において、基地局装置２は、非互換キャリア追加メッセージに追加する非互換キャリアに関する設定パラメータ（情報要素）を含めて移動局装置１に送信する。設定パラメータは、（１）リンク先セル情報、（２）非互換キャリアインデックス情報、（３）拡張周波数帯域幅情報、が少なくとも含まれる。
【００８０】
リンク先セル情報とは、具体的には、非互換キャリアを活性化したときに当該非互換キャリアと共に集約して通信を行う対象となるセル（コンポーネントキャリア）を示す識別子であり、例えば、セルＩＤやセルインデックスを使用して当該対象セルが示される。集約されるセルと非互換キャリアとをリンク先セル情報を用いて対応づけることを、セルと非互換キャリアをリンク情報に基づきリンクするとも称する。セルインデックスは、キャリア・アグリゲーションされる在圏セルに対して基地局装置２から移動局装置１に対して指定されるインデックス番号（例えば＃０〜＃７）である。セルＩＤを用いる場合、プライマリセルに対して非互換キャリアが設定される場合は、プライマリセルのセルＩＤ（および必要であれば周波数ＩＤ）がリンク先セル情報として設定される。また、セルインデックスを用いる場合、プライマリセルに対して非互換キャリアが設定される場合は、プライマリセルのセルインデックス番号（例えば＃０）がリンク先セル情報として設定される。基地局装置２は、リンク先セル情報として互換性のあるセル（在圏セル）のみが指定可能であり、非互換キャリアを指定することはできない。
【００８１】
また、リンク先セル情報は、当該非互換キャリアに対する無線リソース割り当て情報（上りリンクアサインメント、下りリンクアサインメント）が送信されるセルを示す情報であると換言することができる。また、リンク先セル情報は、当該非互換キャリアに対するスケジューリングを行うための物理下りリンク制御チャネルＰＤＣＣＨが送信されるセルを示す情報であると換言することができる。移動局装置１は、リンク先セル情報で示されたセル（セル＃１とする）が他のセル（セル＃２とする）からスケジューリングされるセルであった場合（すなわち、基地局装置２が、セル＃２で送信される無線リソース割り当て情報によってセル＃１をスケジューリングする場合）、セル＃１を集約対象とする非互換キャリアに対する無線リソース割り当て情報が送信されるセルはセル＃２であると判断し、セル＃２で無線リソース割り当て情報の受信を試みる。
【００８２】
非互換キャリアインデックス情報とは、移動局装置１に対して設定された非互換キャリアを示す識別子となるインデックス番号（例えば＃０〜＃７）であり、基地局装置２は、本インデックス番号を非互換キャリアごとに割り振ることによって、追加、削除、変更、活性化および非活性化の対象となる一つまたは複数の非互換キャリアを移動局装置１に対して指定することが可能となる。例えば、キャリアセグメントであればセグメントインデックスが、エクステンションキャリアであればエクステンションインデックスが設定される。非互換キャリアインデックス情報として設定されるインデックス番号は、基地局装置２から移動局装置１に対して非互換キャリアを設定するときに同時に指定され、移動局装置１内部に情報として格納される。
【００８３】
拡張周波数帯域幅情報とは、非互換キャリアをセルに対して追加することによって集約される周波数帯域幅を示す情報である。例えば、非互換キャリア自体の周波数帯域幅を示す情報である。または、非互換キャリアを追加した後の集約された周波数帯域幅（拡張周波数帯域幅）を示す情報である。
【００８４】
移動局装置１は、追加が完了された時点では、当該非互換キャリアを用いた送受信を開始せず、設定のみがされた非活性（ディアクティベーション）の状態としておく。非互換キャリアに対して非活性の状態を用いることによって、基地局装置２は、移動局装置１のトラフィックの状態に応じた自由度の高いスケジュールを行うことが可能となる。
【００８５】
図４は、第１の実施形態における移動局装置１と基地局装置２とが、追加（設定）された非互換キャリアを活性化（アクティベーション）することによって、キャリア・アグリゲーションによって非互換キャリアを用いた通信を行う手順について説明するためのシーケンスチャート図である。本シーケンスチャートは、少なくとも図３で示したように、プライマリセルを対象とした非互換キャリアを追加した後に開始される必要がある。
【００８６】
ステップＳ２０１において、移動局装置１に対して追加した非互換キャリアに対する非互換キャリア活性化コマンド（非互換キャリア活性化）が基地局装置２より通知される。非互換キャリア活性化コマンドは、ＭＡＣ制御要素で通知されても良いし、ＲＲＣメッセージや物理下りリンク制御チャネルで通知されても良い。非互換キャリア活性化コマンドを受信した移動局装置１は、キャリア・アグリゲーションによって追加されている非互換キャリアと、コンポーネントキャリア（プライマリセル）とを集約する。
【００８７】
非互換キャリア活性化コマンドを受信し、非互換キャリアを活性化した移動局装置１は、非互換キャリア活性化コマンドを正しく受信し、適切に制御を行ったことを基地局装置２に対して通知するため、非互換キャリア活性化完了コマンド（非互換キャリア活性化完了）を生成して基地局装置２へ送信する（ステップＳ２０２）。
【００８８】
ここで、ステップＳ２０１において、基地局装置２は、非互換キャリア活性化コマンドに少なくとも活性化する非互換キャリアを指定する情報（非互換キャリアインデックス情報）を含めて移動局装置１に送信する。移動局装置１は、非互換キャリアインデックス情報で指定された非互換キャリアのリンク先情報に基づいて集約の対象となるコンポーネントキャリア（セル）を判断する。そして、移動局装置１は、当該非互換キャリアに設定された拡張周波数帯域幅情報に基づいて、活性化された非互換キャリアと集約の対象となるコンポーネントキャリアとを用いて基地局装置２との通信を開始する。また、基地局装置２は、当該周波数において、活性化した非互換キャリアと集約の対象となるコンポーネントキャリアとを用いたスケジューリングを開始し、移動局装置１との通信を行う。
【００８９】
図５は、第１の実施形態における移動局装置１と基地局装置２とが、追加（設定）された非互換キャリアを非活性化（ディアクティベーション）することによって、非互換キャリアを用いずにコンポーネントキャリアのみで通信を行う手順について説明するためのシーケンスチャート図である。本シーケンスチャートは、少なくとも図４で示したように、プライマリセルを対象とした非互換キャリアを追加し、さらに当該非互換キャリアが活性化された後に開始される必要がある。
【００９０】
ステップＳ３０１において、移動局装置１に対して活性化した非互換キャリアに対する非互換キャリア非活性化コマンド（非互換キャリア非活性化）が基地局装置２より通知される。非互換キャリア非活性化コマンドは、ＭＡＣ制御要素で通知されても良いし、ＲＲＣメッセージや物理下りリンク制御チャネルで通知されても良い。非互換キャリア非活性化コマンドを受信した移動局装置１は、キャリア・アグリゲーションによって追加されている非互換キャリアと、コンポーネントキャリア（プライマリセル）との集約を解除し、非互換キャリアを用いた送受信を停止する。なお、移動局装置１は、コンポーネントキャリア（プライマリセル）を用いた送受信を停止する必要はない。
【００９１】
非互換キャリア非活性化コマンドを受信し、非互換キャリアを非活性化した移動局装置１は、非互換キャリア非活性化コマンドを正しく受信し、適切に制御を行ったことを基地局装置２に対して通知するため、非互換キャリア非活性化完了コマンド（非互換キャリア非活性化完了）を生成して基地局装置２へ送信する（ステップＳ３０２）。
【００９２】
ここで、ステップＳ３０１において、基地局装置２は、非互換キャリア非活性化コマンドに少なくとも非活性化する非互換キャリアを指定する情報（非互換キャリアインデックス情報）を含めて移動局装置１に送信する。移動局装置１は、非互換キャリアインデックス情報で指定された非互換キャリアのリンク先セル情報に基づいて集約が解除されるコンポーネントキャリア（セル）を判断する。そして、移動局装置１は、当該非互換キャリアが非活性化されたコンポーネントキャリアの周波数帯域幅（通常帯域幅）に基づいて基地局装置２との通信を開始する。また、基地局装置２は、当該周波数において、非活性化した非互換キャリアの集約対象であったコンポーネントキャリアを用いたスケジューリングを開始し、移動局装置１との通信を行う。
【００９３】
図６は、第１の実施形態における移動局装置１と基地局装置２とが、追加（設定）された非互換キャリアの設定を削除することによって、非互換キャリアを用いずにコンポーネントキャリアのみで通信を行う手順について説明するためのシーケンスチャート図である。本シーケンスチャートは、少なくとも図３で示したように、プライマリセルを対象とした非互換キャリアを追加した後に開始される必要がある。
【００９４】
基地局装置２は、移動局装置１から報告された測定結果やバッファ状況報告（バッファステータスレポート）などに基づいて、非互換キャリアを用いたキャリア・アグリゲーションが移動局装置１に対して不要であると判断した場合、プライマリセルに対して非互換キャリアの削除を指示する非互換キャリア削除メッセージを送信する（ステップＳ４０１）。非互換キャリア削除メッセージは、レイヤ３メッセージ（ＲＲＣメッセージ）で構成されることが望ましい。
【００９５】
非互換キャリア削除メッセージを受信し、追加されていた非互換キャリアを削除した移動局装置１は、非互換キャリア削除メッセージを正しく受信し、適切に制御を行ったことを基地局装置２に対して通知するため、非互換キャリア削除完了メッセージを生成して基地局装置２へ送信する（ステップＳ４０２）。非互換キャリア削除完了メッセージは、対応する非互換キャリア削除メッセージと同じメッセージＩＤを設定し、レイヤ３メッセージ（ＲＲＣメッセージ）で構成されることが望ましい。
【００９６】
ここで、ステップ４０１において、基地局装置２は、非互換キャリア削除メッセージに少なくとも削除する非互換キャリアを指定する情報（非互換キャリアインデックス情報）を含めて移動局装置１に送信する。移動局装置１は、非互換キャリアインデックス情報で指定された非互換キャリアのリンク先セル情報に基づいて集約が解除されるコンポーネントキャリア（セル）を判断する。そして、移動局装置１は、当該非互換キャリアが削除されたコンポーネントキャリアの周波数帯域幅（通常帯域幅）に基づいて基地局装置２との通信を開始する。また、基地局装置２は、当該周波数において、削除した非互換キャリアの集約対象であったコンポーネントキャリアを用いたスケジューリングを開始し、移動局装置１との通信を行う。
【００９７】
また、基地局装置２が、非互換キャリアが追加（設定）されたプライマリセルをハンドオーバーなどによって別のセルへと変更した場合、移動局装置１は、変更前のプライマリセルに設定されていた非互換キャリアを自動的に削除する。
【００９８】
図７を用いて、上述した非互換キャリア、特にキャリアセグメントを追加するための設定パラメータと、既存のコンポーネントキャリア（セル）との対応関係について説明する。
【００９９】
図７の上段は移動局装置１に設定されている在圏セル（在圏セル１）であり、その周波数帯域幅はＥＵＴＲＡにおける周波数帯域幅（通常帯域幅（例えば５ＭＨｚ））を持つ。また、明示的または暗黙的に設定されるセルインデックスの番号は０番（セルインデックス＃０）であるとする。中段はキャリアセグメント１を示し、その設定パラメータは、リンク先セル情報としてセルインデックス＃０、非互換キャリアインデックス情報としてセグメントインデックス＃０、拡張周波数帯域幅情報としてｘＭＨｚが設定されている。また、下段はキャリアセグメント２を示し、その設定パラメータは、リンク先セル情報としてセルインデックス＃０、非互換キャリアインデックス情報としてセグメントインデックス＃１、拡張周波数帯域幅情報としてｙＭＨｚが設定されている。
【０１００】
在圏セルとキャリアセグメント１が配置される周波数帯、および在圏セルとキャリアセグメント２が配置される周波数帯は、互いに干渉しない連続した周波数帯であれば（同じ周波数帯を使用しなければ）どの周波数帯に配置されていてもよい。ただし、互いに干渉するキャリアセグメントが設定される場合、活性化されるキャリアセグメントはどちらか一方であることに注意する。
【０１０１】
なお、図７では拡張周波数帯域幅情報をキャリア・アグリゲーションによって集約した後の周波数帯域幅を示す場合を例示しているが、上述したように、キャリアセグメント自体の周波数帯域幅を示すように構成されていてもよい。
【０１０２】
このとき、基地局装置２は、移動局装置１に対してキャリアセグメント１とキャリアセグメント２とを設定する。移動局装置１は、キャリアセグメント１とキャリアセグメント２のリンク先セル情報に基づいてキャリアセグメントが追加されるセルを確認する。図７の例では、キャリアセグメント１とキャリアセグメント２のリンク先セルは在圏セル１である。基地局装置２は、キャリアセグメントを活性化させる場合に、活性化コマンドにセグメントインデックス番号を指定して移動局装置１へ通知する。例えば、キャリアセグメント１を活性化させる場合、基地局装置２は、セグメントインデックス＃０を移動局装置１に通知する。同様に、キャリアセグメント２を活性化させる場合、基地局装置２は、セグメントインデックス＃１を移動局装置１に通知する。
【０１０３】
キャリアセグメントの活性化が指示された場合、移動局装置１は、セグメントインデックスで指定されたキャリアセグメントの拡張周波数帯域幅情報に基づいて周波数帯域幅を拡張し、通信を行う。図７の例では、キャリアセグメント１が活性化された場合、在圏セル１とキャリアセグメント１とを集約した拡張周波数帯域幅１（ｘＭＨｚ）で通信を開始する。同様に、キャリアセグメント２が活性化された場合、在圏セル１とキャリアセグメント２とを集約した拡張周波数帯域幅２（ｙＭＨｚ）で通信を開始する。このように、基地局装置２から移動局装置１へ通知する情報量は、最初の設定パラメータを通知する以外はセグメントインデックスを用いることによって最小限にすることができる。なお、セグメントインデックスは、キャリアセグメントの活性化以外に、キャリアセグメントの非活性化、キャリアセグメントの削除と変更にも用いられる。
【０１０４】
ここで、図７に示すように、一つの在圏セルに対して複数のキャリアセグメントを設定することも可能である。ただし、一つの在圏セルに対して同時に有効となる（活性化される）キャリアセグメントは一つに制限されることが望ましい。すでに活性化されたキャリアセグメントの集約対象である在圏セルの、別のキャリアセグメントを活性化したい場合、例えば、図７においてキャリアセグメント１が活性されているときにキャリアセグメント２を活性化したい場合、基地局装置２は、以下のいずれか方法を用いる必要がある。（１）キャリアセグメント１の非活性化とキャリアセグメント２の活性化を同時に通知する、（２）キャリアセグメント２の活性化を通知することによって移動局装置１に対してキャリアセグメント１に変えてキャリアセグメント２の活性化を暗黙的に指示する、などである。（２）の場合、移動局装置１は、現在使用しているキャリアセグメント１の設定をキャリアセグメント２の設定に変更する必要がある。なお、基地局装置２は、キャリアセグメント１を削除した後にキャリアセグメント２を活性化しても良い。
【０１０５】
図８を用いて、上述した非互換キャリア、特にエクステンションキャリアを追加するための設定パラメータと、既存のコンポーネントキャリア（セル）との対応関係について説明する。
【０１０６】
図８の上段は移動局装置１に設定されている在圏セル（在圏セル１）であり、その周波数帯域幅はＥＵＴＲＡにおける周波数帯域幅（通常帯域幅（例えば５ＭＨｚ））を持つ。また、明示的または暗黙的に設定されるセルインデックスの番号は０番（セルインデックス＃０）である。中段はエクステンションキャリア１を示し、その設定パラメータは、リンク先セル情報としてセルインデックス＃０、非互換キャリアインデックス情報としてエクステンションインデックス＃０、拡張周波数帯域幅情報としてｍＭＨｚが設定されている。また、下段はエクステンションキャリア２を示し、その設定パラメータは、リンク先セル情報としてセルインデックス＃０、非互換キャリアインデックス情報としてエクステンションインデックス＃１、拡張周波数帯域幅情報としてｎＭＨｚが設定されている。在圏セルとエクステンションキャリア１が配置される周波数帯、および在圏セルとエクステンションキャリア２が配置される周波数帯は、互いに干渉しなければ（同じ周波数帯を使用しなければ）どの周波数帯に配置されていてもよい。ただし、互いに干渉するエクステンションキャリアが設定される場合、活性化されるキャリアセグメントはどちらか一方であることに注意する。
【０１０７】
このとき、基地局装置２は、移動局装置１に対してエクステンションキャリア１とエクステンションキャリア２とを設定する。移動局装置１は、エクステンションキャリア１とエクステンションキャリア２のリンク先セル情報に基づいてエクステンションキャリアが追加されるセルを確認する。図８の例では、エクステンションキャリア１とエクステンションキャリア２のリンク先セルは在圏セル１である。基地局装置２は、エクステンションキャリアを活性化させる場合に、活性化コマンドにエクステンションインデックス番号を指定して移動局装置１へ通知する。例えば、エクステンションキャリア１を活性化させる場合、基地局装置２は、エクステンションインデックス＃０を移動局装置１に通知する。同様に、エクステンションキャリア２を活性化させる場合、基地局装置２は、エクステンションインデックス＃１を移動局装置１に通知する。
【０１０８】
エクステンションキャリアの活性化が指示された場合、移動局装置１は、エクステンションインデックスで指定されたエクステンションキャリアの拡張周波数帯域幅情報に基づいて周波数帯域幅を拡張し、通信を行う。図８の例では、エクステンションキャリア１が活性化された場合、在圏セル１とエクステンションキャリア１とを集約した周波数帯域幅（すなわち、通常帯域幅に拡張周波数帯域幅１（ｍＭＨｚ）を加えた合計）で通信を開始する。同様に、エクステンションキャリア２が活性化された場合、在圏セル１とエクステンションキャリア２とを集約した周波数帯域幅（すなわち、通常帯域幅に拡張周波数帯域幅２（ｎＭＨｚ）を加えた合計）で通信を開始する。このように、基地局装置２から移動局装置１へ通知する情報量は、最初の設定パラメータを通知する以外はエクステンションインデックスを用いることによって最小限にすることができる。なお、エクステンションインデックスは、エクステンションキャリアの活性化以外に、エクステンションキャリアの非活性化、エクステンションキャリアの削除と変更にも用いられる。
【０１０９】
ここで、図８に示すように、一つの在圏セルに対して複数のエクステンションキャリアを設定することも可能である。ただし、一つの在圏セルに対して同時に有効となる（活性化される）エクステンションキャリアは一つに制限されることが望ましい。すでに活性化されたエクステンションキャリアの集約対象である在圏セルの、別のエクステンションキャリアを活性化したい場合、例えば、図７においてエクステンションキャリア１が活性されているときにエクステンションキャリア２を活性化したい場合、基地局装置２は、以下のいずれか方法を用いる必要がある。
【０１１０】
例えば、（１）エクステンションキャリア１の非活性化とエクステンションキャリア２の活性化を同時に通知する、（２）エクステンションキャリア２の活性化を通知することによって移動局装置１に対してエクステンションキャリア１に変えてエクステンションキャリア２の活性化を暗黙的に指示する、などである。（２）の場合、移動局装置１は、現在使用しているエクステンションキャリア１の設定をエクステンションキャリア２の設定に変更する必要がある。なお、基地局装置２は、エクステンションキャリア１を削除した後にエクステンションキャリア２を活性化しても良い。
【０１１１】
上述した非互換キャリア追加メッセージと非互換キャリア追加完了メッセージ、および非互換キャリア削除メッセージと非互換キャリア削除完了メッセージは、それぞれ必要なパラメータを追加することによって、新規のメッセージを用意せずに既存のＲＲＣメッセージを再利用することが可能である。例えば、非互換キャリア追加メッセージと非互換キャリア削除メッセージは、ＲＲＣ  Ｃｏｎｎｅｃｔｉｏｎ  Ｒｅｃｏｎｆｉｇｕｒａｔｉｏｎメッセージ、非互換キャリア追加完了メッセージと非互換キャリア削除完了メッセージはＲＲＣ  Ｃｏｎｎｅｃｔｉｏｎ  Ｒｅｃｏｎｆｉｇｕｒａｔｉｏｎ  Ｃｏｍｐｌｅｔｅメッセージをそれぞれ再利用することができる。
【０１１２】
このように、第１の実施形態によれば、基地局装置２は、移動局装置１に非互換キャリアであるキャリアセグメントとエクステンションキャリアをプライマリセルに対して設定する場合において、非互換キャリアを使用するために必要となる設定パラメータとして、リンク先セル情報、非互換キャリアインデックス情報および拡張周波数帯域幅情報を移動局装置１に通知する。また、基地局装置２は、追加した非互換キャリアを使用させる場合に非互換キャリアの活性化を移動局装置１に通知する。
【０１１３】
また、基地局装置２は、追加した非互換キャリアを使用しない場合に非互換キャリアの非活性化を移動局装置１に通知する。また、基地局装置２は、追加した非互換キャリアが不要なときに非互換キャリアの削除を移動局装置１に通知する。また、移動局装置１は、非互換キャリアの追加・削除・変更、または非互換キャリアの活性化・非活性化の対象となる非互換キャリアと、当該非互換キャリアと集約されるコンポーネントキャリアとを、リンク先セル情報と非互換キャリアインデックス情報に基づいて判断する。
【０１１４】
以上のように、本実施形態に開示の方法を用いることによって、非互換キャリアを設定する際に必要なパラメータやその設定手順について不明であるため、キャリア・アグリゲーションを正しく実施できないという問題を解決することができる。すなわち、基地局装置２と移動局装置１は、リンク先セル情報を用いることによって、非互換キャリアと当該非互換キャリアの集約対象となる在圏セルを特定することができる。また、基地局装置２と移動局装置１は、非互換キャリアインデックス情報を用いることで、非互換キャリアの追加、削除、変更、活性化および非活性化のために必要な情報量を削減できる。また、基地局装置２と移動局装置１は、拡張周波数帯域幅情報を用いることで、非互換キャリアを用いたキャリア・アグリゲーション時における周波数帯域幅を設定することができる。
【０１１５】
以上の説明に基づいて非互換キャリアを設定する際に必要なパラメータやその設定手順を構成することによって、移動局装置１と基地局装置２の無線品質やトラフィックの状態に応じ、非互換キャリアを用いたキャリア・アグリゲーションを正しく実施することができるため、無線リソース管理を効率的に行なうことができる。
【０１１６】
＜第２の実施形態＞
本発明の第２の実施形態について説明する。第１の実施形態は、プライマリセルに対して非互換キャリアが追加される場合について説明したが、本実施形態ではセカンダリセルに対して非互換キャリアが追加される場合について説明する。
【０１１７】
本実施形態に用いる移動局装置１と基地局装置２の構成は、それぞれ図１と図２と同じ構成で良いため説明を省略する。
【０１１８】
セカンダリセルは、プライマリセルと違って活性化と非活性化が行われる在圏セルであるため、非互換キャリアとセカンダリセルとを集約したキャリア・アグリゲーションを行う場合、プライマリセルよりも複雑な制御が必要となる。しかしながら、追加した非互換キャリアのみを非活性化する場合、または追加した非互換キャリアのみを削除する場合は、プライマリセルを対象とした手順と変わりはなく、それぞれ第１の実施形態における図５および図６の手順をセカンダリセルに適用すればよいだけであり、その詳細な説明を省略する。以下では、セカンダリセルに対して非互換キャリアを設定する場合に、第１の実施形態とは異なる制御が必要な点について図面を用いて説明する。
【０１１９】
図９は、第２の実施形態における移動局装置１と基地局装置２とが、キャリア・アグリゲーションによって非互換キャリアを用いた通信を行うための準備として、セカンダリセルに対して、当該セカンダリセルを集約対象とする非互換キャリアを追加（設定）する手順について説明するためのシーケンスチャート図である。
【０１２０】
本シーケンスチャートは、移動局装置１と基地局装置２との間でプライマリセルおよび少なくとも１つのセカンダリセルを用いた接続が確立している状態（コネクティッド状態）から開始される。なお、移動局装置１に１つ以上のセカンダリセルが設定されていても本実施形態には影響しない。基地局装置２は、移動局装置１に対して周辺セルを測定するための測定設定（measurement configuration）を通知し、移動局装置１は測定設定に従って在圏セル（プライマリセル、またはプライマリセルとセカンダリセル）および周辺セルを測定している。
【０１２１】
基地局装置２は、移動局装置１から報告された測定結果やバッファ状況報告（バッファステータスレポート）などに基づいて、非互換キャリアを用いたキャリア・アグリゲーションが移動局装置１に対して必要であると判断した場合、すでに追加しているセカンダリセルに対して非互換キャリアの追加を指示する非互換キャリア追加メッセージを送信する（ステップＳ５０１）。非互換キャリア追加メッセージは、レイヤ３メッセージ（ＲＲＣメッセージ）で構成されることが望ましい。
【０１２２】
非互換キャリア追加メッセージを受信し、非互換キャリアを追加した移動局装置１は、非互換キャリア追加メッセージを正しく受信し、適切に制御を行ったことを基地局装置２に対して通知するため、非互換キャリア追加完了メッセージを生成して基地局装置２へ送信する（ステップＳ５０２）。非互換キャリア追加完了メッセージは、対応する非互換キャリア追加メッセージと同じメッセージＩＤを設定し、レイヤ３メッセージ（ＲＲＣメッセージ）で構成されることが望ましい。
【０１２３】
ここで、ステップＳ５０１において、基地局装置２は、非互換キャリア追加メッセージに追加する非互換キャリアに関する設定パラメータ（情報要素）を含めて移動局装置１に送信する。設定パラメータは、（１）リンク先セル情報、（２）非互換キャリアインデックス情報、（３）拡張周波数帯域幅情報、が少なくとも含まれる。これらの情報についての詳細は、第１の実施形態と同じであるため、その詳細を略す。
【０１２４】
ただし、リンク先セル情報として、セルＩＤまたはセルインデックスで集約対象のセカンダリセルが示される点が第１の実施形態と異なることに注意する。また、基地局装置２は、非互換キャリアの追加と同時にセカンダリセルの追加を移動局装置１に対して指示してもよい。このとき、セカンダリセルの追加に関する設定パラメータは従来のＥＵＴＲＡで使用されるものと同じでよい。
【０１２５】
移動局装置１は、追加が完了された時点では、当該非互換キャリアを用いた送受信を開始せず、設定のみがされた非活性（ディアクティベーション）の状態としておく。非互換キャリアに対して非活性の状態を用いることによって、基地局装置２は、移動局装置１のトラフィックの状態に応じた自由度の高いスケジュールを行うことが可能となる。
【０１２６】
図１０は、第２の実施形態における移動局装置１と基地局装置２とが、追加（設定）された非互換キャリアを活性化（アクティベーション）することによって、キャリア・アグリゲーションによって非互換キャリアを用いた通信を行う手順について説明するためのシーケンスチャート図である。本シーケンスチャートは、少なくとも図９で示したように、セカンダリセルを対象とした非互換キャリアを追加した後に開始される必要がある。
【０１２７】
ステップＳ６０１において、移動局装置１に対して追加した非互換キャリアに対する非互換キャリア活性化コマンド（非互換キャリア活性化）が基地局装置２より通知される。非互換キャリア活性化コマンドは、ＭＡＣ制御要素で通知されても良いし、ＲＲＣメッセージや物理下りリンク制御チャネルで通知されても良い。非互換キャリア活性化コマンドを受信した移動局装置１は、キャリア・アグリゲーションによって追加されている非互換キャリアと、コンポーネントキャリア（セカンダリセル）とを集約する。
【０１２８】
非互換キャリア活性化コマンドを受信し、非互換キャリアを活性化した移動局装置１は、非互換キャリア活性化コマンドを正しく受信し、適切に制御を行ったことを基地局装置２に対して通知するため、非互換キャリア活性化完了コマンド（非互換キャリア活性化完了）を生成して基地局装置２へ送信する（ステップＳ６０２）。
【０１２９】
ここで、ステップＳ６０１において、基地局装置２は、非互換キャリア活性化コマンドに少なくとも活性化する非互換キャリアを指定する情報（非互換キャリアインデックス情報）を含めて移動局装置１に送信する。移動局装置１は、非互換キャリアインデックス情報で指定された非互換キャリアのリンク先セル情報に基づいて集約の対象となるコンポーネントキャリア（セル）を判断する。そして、移動局装置１は、当該非互換キャリアに設定された拡張周波数帯域幅情報に基づいて、活性化された非互換キャリアと集約の対象となるコンポーネントキャリアとを用いて基地局装置２との通信を開始する。また、基地局装置２は、当該周波数において、活性化した非互換キャリアと集約の対象となるコンポーネントキャリアとを用いたスケジューリングを開始し、移動局装置１との通信を行う。
【０１３０】
また、ステップＳ６０１において、活性化が要求された非互換キャリアのリンク先セルであるセカンダリセルが非活性の状態である場合、移動局装置１は当該セカンダリセルの活性化を行うように構成されていてもよい。または、移動局装置１は当該非互換キャリア活性化コマンドをネットワークエラーとみなすように構成されていてもよい。この場合、移動局装置１はネットワークエラーであることを基地局装置２に通知してもよいし、単に非互換キャリア活性化コマンドを無視してもよい。
【０１３１】
図１１は、第２の実施形態における移動局装置１と基地局装置２とが、追加（設定）された非互換キャリアの集約対象であるセカンダリセルを非活性化（ディアクティベーション）することによって、キャリア・アグリゲーションによって通信に用いている非互換キャリアを非活性化すると同時に、非互換キャリアとセカンダリセルとを同時に非活性化する手順について説明するためのシーケンスチャート図である。本シーケンスチャートは、少なくとも図１０で示したように、セカンダリセルを対象とした非互換キャリアを追加し、さらに当該非互換キャリアが活性化された後に開始される必要がある。
【０１３２】
ステップＳ７０１において、移動局装置１に対して、活性化されているセカンダリセルに対するセカンダリセル非活性化コマンド（セカンダリセル非活性化）が基地局装置２より通知される。セカンダリセル非活性化コマンドは、ＥＵＴＲＡと同様の通知方法で良く、例えばＭＡＣ情報要素を用いて通知される。セカンダリセル非活性化コマンドを受信した移動局装置１は、キャリア・アグリゲーションによって追加されている非互換キャリアと、コンポーネントキャリア（セカンダリセル）とを同時に非活性化し、当該非互換キャリアおよび当該セカンダリセルを用いた送受信を停止する。
【０１３３】
セカンダリセル非活性化コマンドを受信し、非互換キャリアおよびセカンダリセルを非活性化した移動局装置１は、セカンダリセル非活性化コマンドを正しく受信し、適切に制御を行ったことを基地局装置２に対して通知するため、セカンダリセル非活性化完了コマンド（セカンダリセル非活性化完了）を生成して基地局装置２へ送信する（ステップＳ７０２）。
【０１３４】
ここで、ステップＳ７０１において、基地局装置２は、セカンダリセル非活性化コマンドに少なくとも非活性化するセカンダリセルを指定する情報（セルインデックス、またはセルＩＤと周波数ＩＤ）を含めて移動局装置１に送信する。移動局装置１は、指定されたセカンダリセルを集約対象とする非互換キャリアを、非互換キャリアのリンク先セル情報に基づいて判断する。そして、移動局装置１は、非活性化されるセカンダリセルを集約対象とする非互換キャリアが存在する場合で、当該非互換キャリアが活性化されている場合、指定されたセカンダリセルの非活性化と同時に対応する非互換キャリアを非活性化する。また、基地局装置２は、非活性化したセカンダリセルと、当該セカンダリセルを集約対象とする非互換キャリアとを用いたスケジューリングを停止し、他のコンポーネントキャリア（セル）を用いて移動局装置１との通信を行う。
【０１３５】
図１２は、第２の実施形態における移動局装置１と基地局装置２とが、追加（設定）された非互換キャリアの集約対象であるセカンダリセルの設定を削除すると同時に、キャリア・アグリゲーションによって通信に用いている非互換キャリアの設定を削除する手順について説明するためのシーケンスチャート図である。本シーケンスチャートは、少なくとも図１０で示したように、セカンダリセルを対象とした非互換キャリアを追加した後に開始される必要がある。
【０１３６】
基地局装置２は、移動局装置１から報告された測定結果やバッファ状況報告（バッファステータスレポート）などに基づいて、非互換キャリアを用いたキャリア・アグリゲーションが移動局装置１に対して不要であると判断した場合、セカンダリセルに対して非互換キャリアの削除を指示するセカンダリセル削除メッセージを送信する（ステップＳ８０１）。セカンダリセル削除メッセージは、レイヤ３メッセージ（ＲＲＣメッセージ）で構成されることが望ましい。
【０１３７】
セカンダリセル削除メッセージを受信し、追加されていた非互換キャリアを削除した移動局装置１は、セカンダリセル削除メッセージを正しく受信し、適切に制御を行ったことを基地局装置２に対して通知するため、セカンダリセル削除完了メッセージを生成して基地局装置２へ送信する（ステップＳ８０２）。セカンダリセル削除完了メッセージは、対応するセカンダリセル削除メッセージと同じメッセージＩＤを設定し、レイヤ３メッセージ（ＲＲＣメッセージ）で構成されることが望ましい。
【０１３８】
ここで、ステップ８０１において、基地局装置２は、セカンダリセル削除メッセージに少なくとも削除する非互換キャリアを指定する情報（セルインデックス、またはセルＩＤと周波数ＩＤ））を含めて移動局装置１に送信する。移動局装置１は、指定されたセカンダリセルを集約対象とする非互換キャリアを、非互換キャリアのリンク先セル情報に基づいて判断する。そして、移動局装置１は、削除されるセカンダリセルを集約対象とする非互換キャリアが存在する場合、指定されたセカンダリセルの設定を削除すると同時に対応する非互換キャリアの設定を削除する。また、基地局装置２は、削除したセカンダリセルと、当該セカンダリセルを集約対象とする非互換キャリアとを用いたスケジューリングを停止し、他のコンポーネントキャリア（セル）を用いて移動局装置１との通信を行う。
【０１３９】
また、基地局装置２が、非互換キャリアが追加（設定）されたセカンダリセルをハンドオーバーなどによって別のセルへと変更した場合、移動局装置１は、変更前のセカンダリセルに設定されていた非互換キャリアを自動的に削除する。
【０１４０】
なお、上述した非互換キャリア追加メッセージと非互換キャリア追加完了メッセージ、および非互換キャリア削除メッセージと非互換キャリア削除完了メッセージは、既存のＲＲＣメッセージを再利用することが可能な点は第１の実施形態と同じである。
【０１４１】
このように、第２の実施形態によれば、基地局装置２は、移動局装置１に非互換キャリアであるキャリアセグメントとエクステンションキャリアをセカンダリセルに対して設定する場合において、非互換キャリアを使用するために必要となる設定パラメータとして、リンク先セル情報、非互換キャリアインデックス情報および拡張周波数帯域幅情報を移動局装置１に通知する。また、基地局装置２は、追加した非互換キャリアを使用させる場合に非互換キャリアの活性化を移動局装置１に通知する。
【０１４２】
また、基地局装置２は、追加した非互換キャリアを使用しない場合に非互換キャリアの非活性化を移動局装置１に通知する。また、基地局装置２は、追加した非互換キャリアが不要なときに非互換キャリアの削除を移動局装置１に通知する。また、基地局装置２は、追加した非互換キャリアと対応するセカンダリセルとを共に使用しない場合にセカンダリセルの非活性化を移動局装置１に通知する。また、基地局装置２は、追加した非互換キャリアと対応するセカンダリセルとが共に不要なときにセカンダリセルの削除を移動局装置１に通知する。
【０１４３】
また、移動局装置１は、非互換キャリアの追加・削除・変更、または非互換キャリアの活性化・非活性化の対象となる非互換キャリアと、当該非互換キャリアと集約されるコンポーネントキャリアとを、リンク先セル情報と非互換キャリアインデックス情報に基づいて判断する。
【０１４４】
以上のように、本実施形態に開示の方法を用いることによって、非互換キャリアを設定する際に必要なパラメータやその設定手順について不明であるため、キャリア・アグリゲーションを正しく実施できないという問題を解決することができる。すなわち、基地局装置２と移動局装置１は、第１の実施形態に加え、非互換キャリアに対応するセカンダリセルの非活性化または削除が指定された場合、当該非互換キャリアと対応するセカンダリセルとを同時に非活性化または削除することができるため、制御に必要となる情報量を削減することができる。
【０１４５】
以上の説明に基づいて非互換キャリアを設定する際に必要なパラメータやその設定手順を構成することによって、移動局装置１と基地局装置２の無線品質やトラフィックの状態に応じ、非互換キャリアを用いたキャリア・アグリゲーションを正しく実施することができるため、無線リソース管理を効率的に行なうことができる。
【０１４６】
なお、以上説明した実施形態は単なる例示に過ぎず、様々な変形例、置換例を用いて実現することができる。例えば、本上りリンク送信方式は、ＦＤＤ（周波数分割復信）方式とＴＤＤ（時分割復信）方式のどちらの通信システムに対しても適用可能である。また、キャリアセグメントとエクステンションキャリアの両方を同時に設定するように構成できることは、本実施形態の説明に基づけば自明である。
【０１４７】
また、説明の便宜上、実施形態の移動局装置１および基地局装置２を機能的なブロック図を用いて説明したが、移動局装置１および基地局装置２の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置１や基地局装置２の制御を行なっても良い。なお、ここでいう「コンピュータシステム」とは、ＯＳや周辺機器等のハードウェアを含むものとする。
【０１４８】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１４９】
また、上記各実施形態に用いた移動局装置１および基地局装置２の各機能ブロック、または諸特徴は、典型的にはＩＣ（集積回路）であるＬＳＩを含む回路内で構成されてもよい。その場合、ＬＳＩの集積密度はどのような密度で実現されていても良い。各機能ブロックおよび諸特徴は個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１５０】
以上、この発明の実施形態について特定の具体例に基づいて詳述してきたが、本発明の趣旨ならびに特許請求の範囲は、これら特定の具体例に限定されないことは明らかである。すなわち、本明細書の記載は例示説明を目的としたものであり、本発明に対して何ら制限を加えるものではない。
【符号の説明】
【０１５１】
１…移動局装置
２…基地局装置
１１〜１３…送信装置
１０１、２０１…受信部
１０２、２０２…復調部
１０３、２０３…復号部
１０４…測定処理部
１０５、２０４…制御部
１０６…ランダムアクセス制御部
１０７、２０５…符号部
１０８、２０６…変調部
１０９、２０７…送信部
１１０…タイミング管理部
１１１、２０８…上位レイヤ
２０９…ネットワーク信号送受信部
【図１】
2012209650.tif 000003
【図２】
2012209650.tif 000004
【図３】
2012209650.tif 000005
【図４】
2012209650.tif 000006
【図５】
2012209650.tif 000007
【図６】
2012209650.tif 000008
【図７】
2012209650.tif 000009
【図８】
2012209650.tif 000010
【図９】
2012209650.tif 000011
【図１０】
2012209650.tif 000012
【図１１】
2012209650.tif 000013
【図１２】
2012209650.tif 000014
【図１３】
2012209650.tif 000015
【図１４】
2012209650.tif 000016
【図１５】
2012209650.tif 000017
【図１６】
2012209650.tif 000018